【手続補正書】
【提出日】平成18年1月6日(2006.1.6)
【手続補正１】
【補正対象書類名】明細書
【補正対象項目名】特許請求の範囲
【補正方法】変更
【補正の内容】
【特許請求の範囲】
【請求項１】  被噴射材に液体を噴射する液体噴射ヘッドを前記被噴射材の被噴射面に対して相対的に所定の走査方向に往復走査させる手段を備えた液体噴射装置において、前記走査方向に往復動可能に支持されるメインキャリッジと、前記液体噴射ヘッドを搭載したサブキャリッジと、該サブキャリッジを前記被噴射材の被噴射面に対して垂直方向に変位可能に前記メインキャリッジに支持し、前記サブキャリッジを変位させて前記液体噴射ヘッドのヘッド面と被噴射材の被噴射面との間隔を切り換える液体噴射間隔切換装置とを備え、
前記サブキャリッジは、前記メインキャリッジに対して付勢手段を介したフローティング状態で、前記付勢手段の付勢力によって前記液体噴射間隔切換装置の一端に押圧されつつ前記メインキャリッジに支持されており、
前記液体噴射間隔切換装置は、前記メインキャリッジ側に軸支された回転偏心カムと、前記回転偏心カムを駆動する回転偏心カム駆動手段とを有する回転偏心カム機構を備え、前記回転偏心カム駆動手段による前記回転偏心カムの回転によって前記サブキャリッジが変位し、少なくとも２段階の液体噴射間隔を段階的に切換可能な構成を成している、ことを特徴としたキャリッジ。
【請求項２】  請求項１において、前記液体噴射間隔切換装置は、前記回転偏心カムを複数備えており、複数の前記回転偏心カムと前記回転偏心カム駆動手段とで構成されている、ことを特徴としたキャリッジ。
【請求項３】  請求項１又は２において、前記液体噴射間隔切換装置は、前記回転偏心カムを軸支する軸が一体に形成されているカムユニット本体内に前記回転偏心カム、及び前記回転偏心カム駆動手段が組み込まれたカムユニットで構成され、
前記カムユニットは、前記カムユニット本体の前記軸が形成されている面の裏面に形成されている掛合部が、前記メインキャリッジの取付面に形成されている孔に掛合した状態で掛着されており、前記回転偏心カムを介して前記サブキャリッジの荷重が前記軸に作用することによって、前記カムユニット本体の前記軸が形成されている面が凸状に湾曲する撓みが生じる部分の裏側に前記掛合部が形成されている、ことを特徴としたキャリッジ。
【請求項４】  請求項３において、前記カムユニット本体は、前記回転偏心カムを介して前記サブキャリッジの荷重が前記軸に作用することによって、前記カムユニット本体の前記軸が形成されている面が凹状に湾曲する撓みが生じる部分の裏側に、前記メインキャリッジに当接して撓みを規制する凸部が形成されている、ことを特徴としたキャリッジ。
【請求項５】  被噴射材に液体を噴射する液体噴射ヘッドを前記被噴射材の被噴射面に対して相対的に所定の走査方向に往復走査させる手段を備えた液体噴射装置において、前記走査方向に往復動可能に支持されるメインキャリッジと、前記液体噴射ヘッドを搭載したサブキャリッジと、該サブキャリッジを前記被噴射材の被噴射面に対して垂直方向に変位可能に前記メインキャリッジに支持し、前記サブキャリッジを変位させて前記液体噴射ヘッドのヘッド面と被噴射材の被噴射面との間隔を切り換える液体噴射間隔切換装置とを備え、
前記サブキャリッジは、前記メインキャリッジに対して付勢手段を介したフローティング状態で、前記付勢手段の付勢力によって前記液体噴射間隔切換装置の一端に押圧されつつ前記メインキャリッジに支持されており、
前記液体噴射間隔切換装置は、前記メインキャリッジ側に往復動可能に支持されたスライドカムを有するスライドカム機構を備え、前記スライドカムのスライド位置によって前記サブキャリッジが変位し、少なくとも２段階の液体噴射間隔を段階的に切換可能な構成を成している、ことを特徴としたキャリッジ。
【請求項６】  被噴射材に液体を噴射する液体噴射ヘッドを前記被噴射材の被噴射面に対して相対的に所定の走査方向に往復走査させる手段を備えた液体噴射装置において、前記走査方向に往復動可能に支持されるメインキャリッジと、前記液体噴射ヘッドを搭載したサブキャリッジと、該サブキャリッジを前記被噴射材の被噴射面に対して垂直方向に変位可能に前記メインキャリッジに支持し、前記サブキャリッジを変位させて前記液体噴射ヘッドのヘッド面と被噴射材の被噴射面との間隔を切り換える液体噴射間隔切換装置とを備え、
前記サブキャリッジは、前記メインキャリッジに対して付勢手段を介したフローティング状態で、前記付勢手段の付勢力によって前記液体噴射間隔切換装置の一端に押圧されつつ前記メインキャリッジに支持されており、
前記液体噴射間隔切換装置は、前記メインキャリッジ側に揺動可能に軸支され、揺動軸を支点として一端側で前記サブキャリッジを支持する揺動体を備え、前記揺動体の他端側を揺動させることによって、前記揺動体の一端側に支持されている前記サブキャリッジが変位し、少なくとも２段階の液体噴射間隔を段階的に切換可能な構成を成している、ことを特徴としたキャリッジ。
【請求項７】  請求項６において、前記液体噴射間隔切換装置は、前記揺動体の他端側と歯車係合して前記揺動体の他端側を揺動させる揺動手段を有している、ことを特徴としたキャリッジ。
【請求項８】  被噴射材に液体を噴射する液体噴射ヘッドを前記被噴射材の被噴射面に対して相対的に所定の走査方向に往復走査させる手段を備えた液体噴射装置において、前記走査方向に往復動可能に支持されるメインキャリッジと、前記液体噴射ヘッドを搭載したサブキャリッジと、該サブキャリッジを前記被噴射材の被噴射面に対して垂直方向に変位可能に前記メインキャリッジに支持し、前記サブキャリッジを変位させて前記液体噴射ヘッドのヘッド面と被噴射材の被噴射面との間隔を切り換える液体噴射間隔切換装置とを備え、
前記サブキャリッジは、前記メインキャリッジに対して付勢手段を介したフローティング状態で、前記付勢手段の付勢力によって前記液体噴射間隔切換装置の一端に押圧されつつ前記メインキャリッジに支持されており、
前記液体噴射間隔切換装置は、前記メインキャリッジ側に軸支された回転体と、前記サブキャリッジを支持するとともに前記回転体の回転運動を前記サブキャリッジの変位方向の往復動運動に変換して前記サブキャリッジに伝達する手段とを備え、前記回転体の回転によって、前記サブキャリッジが変位し、少なくとも２段階の液体噴射間隔を段階的に切換可能な構成を成している、ことを特徴としたキャリッジ。
【請求項９】  被噴射材に液体を噴射する液体噴射ヘッドを前記被噴射材の被噴射面に対して相対的に所定の走査方向に往復走査させる手段を備えた液体噴射装置において、前記走査方向に往復動可能に支持されるメインキャリッジと、前記液体噴射ヘッドを搭載したサブキャリッジと、該サブキャリッジを前記被噴射材の被噴射面に対して垂直方向に変位可能に前記メインキャリッジに支持し、前記サブキャリッジを変位させて前記液体噴射ヘッドのヘッド面と被噴射材の被噴射面との間隔を切り換える液体噴射間隔切換装置とを備え、
前記サブキャリッジは、前記メインキャリッジに対して付勢手段を介したフローティング状態で、前記付勢手段の付勢力によって前記液体噴射間隔切換装置の一端に押圧されつつ前記メインキャリッジに支持されており、
前記液体噴射間隔切換装置は、前記メインキャリッジ側に軸支されたピニオンと、該ピニオンと係合した状態で前記サブキャリッジを支持するラックと、前記ピニオンを回転させるピニオン駆動手段とを有するラックピニオン機構を備え、前記ピニオン駆動手段による前記ピニオンの回転によって、前記ラックに支持されている前記サブキャリッジが変位し、少なくとも２段階の液体噴射間隔を段階的に切換可能な構成を成している、ことを特徴としたキャリッジ。
【請求項１０】  請求項１〜９のいずれか１項において、前記メインキャリッジは、前記被噴射材の被噴射面に対して垂直方向に前記サブキャリッジの変位方向を規制する変位方向規制手段を備えている、ことを特徴としたキャリッジ。
【請求項１１】  請求項１〜１０のいずれか１項において、前記液体噴射間隔切換装置を駆動するための駆動力源を備えている、ことを特徴としたキャリッジ。
【請求項１２】  請求項１〜１１のいずれか１項において、前記メインキャリッジと前記サブキャリッジとが略平行に対向する面の一面側に、対向する面の間隔が異なる凹部、又は凸部が形成されている、ことを特徴としたキャリッジ。
【請求項１３】  請求項１〜１２のいずれか１項において、前記メインキャリッジと前記サブキャリッジとが略平行に対向する面の一面側は、対向間隔が最小となる領域が線又は点となる形状を成している、ことを特徴としたキャリッジ。
【請求項１４】  請求項１〜１３のいずれか１項に記載のキャリッジを備えた液体噴射装置。
【請求項１５】  被記録材にインクを噴射する記録ヘッドを前記被記録材の被記録面に対して相対的に所定の走査方向に往復走査させる手段を備えたインクジェット式記録装置であって、前記走査方向に往復動可能に支持されるメインキャリッジと、前記記録ヘッドを搭載したサブキャリッジと、前記サブキャリッジを前記被記録材の被記録面に対して垂直方向に変位可能に前記メインキャリッジに支持し、前記サブキャリッジを変位させて前記記録ヘッドのヘッド面と被記録材の被記録面との間隔を切り換えるインク噴射間隔切換装置とを有するキャリッジを備え、前記キャリッジは、前記サブキャリッジが前記メインキャリッジに対して付勢手段を介したフローティング状態で、前記付勢手段の付勢力によって前記インク噴射間隔切換装置の一端に押圧されつつ前記メインキャリッジに支持されており、
前記インク噴射間隔切換装置は、前記メインキャリッジ側に軸支された回転偏心カムと、前記回転偏心カムを駆動する回転偏心カム駆動手段とを有する回転偏心カム機構を備え、前記回転偏心カム駆動手段による前記回転偏心カムの回転によって前記サブキャリッジが変位し、少なくとも２段階のインク噴射間隔を段階的に切換可能な構成を成している、ことを特徴としたインクジェット式記録装置。